(57)【要約】      （修正有）【課題】ユーザ所望の画像を直ちに取得できるようにするユーザインタフェース環境を提供する移動端末機及びその制御方法を提供する。【解決手段】移動端末機１００は、カメラ１２１と、カメラ１２１により入力される画像を出力するディスプレイ部１５１と、画像撮影要求に対応して、ディスプレイ部１５１に出力される画像を撮影する制御部１８０とを含む制御部１８０は、カメラ１２１とディスプレイ部１５１のうち少なくとも一方と連動し、画像設定情報とリンクしたユーザ定義アイコンのうち少なくとも１つをディスプレイ部１５１に出力させるステップ段階と、ディスプレイ部１５１に出力されたユーザ定義アイコンへのタッチを画像撮影要求として処理するステップ段階と、その処理された画像撮影要求に応答して、画像設定情報に対応する画像を取得するステップと、を有する。【選択図】図１
2015027085.tif 000002
【特許請求の範囲】
【請求項１】
カメラと、
前記カメラにより入力される画像を出力するディスプレイ部と、
画像撮影要求に対応して、前記ディスプレイ部に出力される画像を撮影する制御部とを含み、
前記制御部は、
前記カメラと前記ディスプレイ部のうち少なくとも一方と連動し、
画像設定情報とリンクしたユーザ定義アイコンのうち少なくとも１つを前記ディスプレイ部に出力させる段階と、
前記ディスプレイ部に出力されたユーザ定義アイコンへのタッチを前記画像撮影要求として処理する段階と、
前記処理された画像撮影要求に応答して、前記画像設定情報に対応する画像を取得する段階とを実行することを特徴とする移動端末機。
【請求項２】
前記ディスプレイ部には、各画像設定情報とそれぞれリンクした複数のユーザ定義アイコンが出力され、
前記制御部は、前記複数のユーザ定義アイコンのうちタッチされた領域に出力されたユーザ定義アイコンにリンクした画像設定情報に対応する画像を取得することを特徴とする請求項１に記載の移動端末機。
【請求項３】
前記ディスプレイ部の一領域には、基本画像設定情報とリンクした基本アイコンが出力され、
前記制御部は、前記基本アイコンのタッチ方式によって、前記基本アイコンにリンクした基本画像設定情報に対応する画像を取得するか、前記複数のユーザ定義アイコンを前記ディスプレイ部に出力させるかを決定することを特徴とする請求項２に記載の移動端末機。
【請求項４】
前記制御部は、
前記基本アイコンがショートタッチされると、前記基本画像設定情報に対応する画像を取得し、
前記基本アイコンがロングタッチされると、前記複数のユーザ定義アイコンを前記ディスプレイ部に出力させることを特徴とする請求項３に記載の移動端末機。
【請求項５】
前記複数のユーザ定義アイコンは、前記基本アイコンに行われたロングタッチに対応して出力され、
前記複数のユーザ定義アイコンのいずれかへのタッチに基づいて、前記複数のユーザ定義アイコンのいずれかにリンクした画像設定情報に基づく画像が取得され、その後前記ディスプレイ部から消えることを特徴とする請求項４に記載の移動端末機。
【請求項６】
前記ディスプレイ部は、前記カメラにより入力される画像が出力されるプレビュー領域を含み、
前記制御部は、
前記複数のユーザ定義アイコンのいずれかに予め設定された方式の第１タッチが行われると、前記第１タッチが行われたユーザ定義アイコンにリンクした画像設定情報に対応するプレビュー画像が出力されるように前記カメラにより入力される画像を制御し、
前記複数のユーザ定義アイコンのいずれかに前記第１タッチとは異なる方式の第２タッチが行われると、前記第２タッチが行われたユーザ定義アイコンにリンクした画像設定情報に対応する画像をメモリに保存することを特徴とする請求項２に記載の移動端末機。
【請求項７】
前記複数のユーザ定義アイコンは、前記複数のユーザ定義アイコンにそれぞれリンクした画像設定情報をユーザが識別できるように、各ユーザ定義アイコンにリンクした画像設定情報に対応する視覚的外観を有することを特徴とする請求項２に記載の移動端末機。
【請求項８】
前記複数のユーザ定義アイコンのうち少なくとも１つが複数の画像設定情報とリンクしている場合、複数の画像設定情報とリンクした機能アイコンは、複数の画像設定情報のうち予め設定された優先順位に対応する画像設定情報に対応する視覚的外観で表示されることを特徴とする請求項７に記載の移動端末機。
【請求項９】
前記複数のユーザ定義アイコンは、前記カメラにより入力される画像に各ユーザ定義アイコンにリンクした画像設定情報を反映したプレビュー画像で表示されることを特徴とする請求項７に記載の移動端末機。
【請求項１０】
前記複数のユーザ定義アイコンが前記ディスプレイ部に出力され、前記複数のユーザ定義アイコンのうち少なくとも１つはユーザのタッチに対応して出力位置が変更可能であることを特徴とする請求項２に記載の移動端末機。
【請求項１１】
前記複数のユーザ定義アイコンのいずれかが前記ユーザのタッチに対応して予め設定された領域に移動するか又は予め設定された距離だけ移動した場合、前記移動したユーザ定義アイコンが前記ディスプレイ部から消えることを特徴とする請求項１０に記載の移動端末機。
【請求項１２】
前記制御部は、マイクから受信されるユーザの音声を前記画像撮影要求として処理し、
前記複数のユーザ定義アイコンは、それぞれ各音声コマンドを有し、
前記マイクから受信されるユーザの音声が前記各音声コマンドのいずれに対応するかによって、取得される画像に対応する画像設定情報が異なることを特徴とする請求項２に記載の移動端末機。
【請求項１３】
前記複数のユーザ定義アイコンの周辺には、各ユーザ定義アイコンに対応する音声コマンドがテキスト形式で表示されることを特徴とする請求項１２に記載の移動端末機。
【請求項１４】
前記ユーザ定義アイコンにリンクする画像設定情報は、ユーザの選択に基づいて決定されることを特徴とする請求項１に記載の移動端末機。
【請求項１５】
前記ディスプレイ部の一領域には、前記カメラにより撮影される画像に関連する複数の設定値に対応するアイテムが表示され、
前記表示されたアイテムのうち少なくとも１つがユーザにより予め設定された方式で選択された場合、前記少なくとも１つのアイテムに対応する設定値を反映した画像設定情報が生成され、
前記生成された画像設定情報は、前記ユーザ定義アイコンにリンクすることを特徴とする請求項１４に記載の移動端末機。
【請求項１６】
カメラにより入力される画像を出力するディスプレイ部を含む移動端末機の制御方法において、
画像撮影機能のためのプログラムの起動中に、画像設定情報とリンクしたユーザ定義アイコンのうち少なくとも１つを前記ディスプレイ部に出力する段階と、
前記ディスプレイ部に出力されたユーザ定義アイコンへのタッチを前記画像撮影要求として処理する段階と、
前記処理された画像撮影要求に応答して、前記画像設定情報に対応する画像を取得する段階とを含むことを特徴とする移動端末機の制御方法。
【請求項１７】
前記ディスプレイ部には、各画像設定情報とそれぞれリンクした複数のユーザ定義アイコンが出力され、
前記画像を取得する段階においては、
前記複数のユーザ定義アイコンのうちタッチされた領域に出力されたユーザ定義アイコンにリンクした画像設定情報に対応する画像を取得することを特徴とする請求項１６に記載の移動端末機の制御方法。
【請求項１８】
前記ディスプレイ部の一領域には、基本画像設定情報とリンクした基本アイコンが出力され、
前記基本アイコンのタッチ方式によって、前記基本アイコンにリンクした基本画像設定情報に対応する画像を取得するか、前記複数のユーザ定義アイコンを前記ディスプレイ部に出力するかを決定することを特徴とする請求項１７に記載の移動端末機の制御方法。
【請求項１９】
前記ディスプレイ部は、前記カメラにより入力される画像が出力されるプレビュー領域を含み、
前記複数のユーザ定義アイコンのいずれかに予め設定された方式の第１タッチが行われると、前記第１タッチが行われたユーザ定義アイコンにリンクした画像設定情報に対応するプレビュー画像が出力されるように前記カメラにより入力される画像を制御し、
前記複数のユーザ定義アイコンのいずれかに前記第１タッチとは異なる方式の第２タッチが行われると、前記第２タッチが行われたユーザ定義アイコンにリンクした画像設定情報に対応する画像をメモリに保存することを特徴とする請求項１７に記載の移動端末機の制御方法。
【請求項２０】
前記ユーザ定義アイコンにリンクする画像設定情報は、ユーザの選択に基づいて決定されることを特徴とする請求項１６に記載の移動端末機の制御方法。
【発明の詳細な説明】
【技術分野】
【０００１】
本発明は、画像撮影機能を備えた移動端末機及びその制御方法に関する。
【背景技術】
【０００２】
移動端末機は、様々な機能を実行できるように構成される。その様々な機能の例としては、データ及び音声通信機能、カメラによる写真や動画像の撮影機能、音声保存機能、スピーカシステムによる音楽ファイルの再生機能、写真や動画像の表示機能などがある。また、ゲームを実行できる追加機能を含む移動端末機もあり、マルチメディア機器として実現される移動端末機もある。さらに、最近の移動端末機は、ブロードキャスト又はマルチキャスト信号を受信してビデオやテレビ番組を視聴することができる。
【０００３】
さらに、このような移動端末機の機能をサポート及び向上させるために、移動端末機の構成要素の構造的な変化や改良だけでなく、ソフトウェアやハードウェアの改良などの努力がなされてきている。
【０００４】
さらに、近年、移動端末機に備えられたカメラの解像度及び機能がよくなるにつれて、移動端末機に備えられたカメラの活用度が高まっている。
【発明の概要】
【発明が解決しようとする課題】
【０００５】
本発明の目的は、ユーザ所望の画像を直ちに取得できるようにするユーザインタフェース環境を提供する移動端末機及びその制御方法を提供することにある。
【課題を解決するための手段】
【０００６】
上記目的を達成するために、本発明の一実施形態による移動端末機は、カメラと、前記カメラにより入力される画像を出力するディスプレイ部と、画像撮影要求に対応して、前記ディスプレイ部に出力される画像を撮影する制御部とを含み、前記制御部は、前記カメラと前記ディスプレイ部のうち少なくとも一方と連動し、画像設定情報とリンクしたユーザ定義アイコンのうち少なくとも１つを前記ディスプレイ部に出力させる段階と、前記ディスプレイ部に出力されたユーザ定義アイコンへのタッチ（接触）を前記画像撮影要求として処理する段階と、前記処理された画像撮影要求に応答して、前記画像設定情報に対応する画像を取得する段階とを行うことを特徴とする。
【０００７】
一態様において、前記ディスプレイ部には、各画像設定情報とそれぞれリンクした複数のユーザ定義アイコンが出力され、前記制御部は、前記複数のユーザ定義アイコンのうちタッチされた領域に出力されたユーザ定義アイコンにリンクした画像設定情報に対応する画像を取得することを特徴とする。
【０００８】
一態様において、前記ディスプレイ部の一領域には、基本画像設定情報とリンクした基本アイコンが出力され、前記制御部は、前記基本アイコンのタッチ方式によって、前記基本アイコンにリンクした基本画像設定情報に対応する画像を取得するか、前記複数のユーザ定義アイコンを前記ディスプレイ部に出力させるかを決定することを特徴とする。
【０００９】
一態様において、前記制御部は、前記基本アイコンがショートタッチされると、前記基本画像設定情報に対応する画像を取得し、前記基本アイコンがロングタッチされると、前記複数のユーザ定義アイコンを前記ディスプレイ部に出力させることを特徴とする。
【００１０】
一態様において、前記複数のユーザ定義アイコンは、前記基本アイコンに行われたロングタッチに対応して出力され、前記複数のユーザ定義アイコンのいずれかへのタッチに基づいて、前記複数のユーザ定義アイコンのいずれかにリンクした画像設定情報に基づく画像が取得され、その後前記ディスプレイ部から消えることを特徴とする。
【００１１】
一態様において、前記ディスプレイ部は、前記カメラにより入力される画像が出力されるプレビュー領域を含み、前記制御部は、前記複数のユーザ定義アイコンのいずれかに予め設定された方式の第１タッチが行われると、前記第１タッチが行われたユーザ定義アイコンにリンクした画像設定情報に対応するプレビュー画像が出力されるように前記カメラにより入力される画像を制御し、前記複数のユーザ定義アイコンのいずれかに前記第１タッチとは異なる方式の第２タッチが行われると、前記第２タッチが行われたユーザ定義アイコンにリンクした画像設定情報に対応する画像をメモリに保存することを特徴とする。
【００１２】
一態様において、前記複数のユーザ定義アイコンは、前記複数のユーザ定義アイコンにそれぞれリンクした画像設定情報をユーザが識別できるように、各ユーザ定義アイコンにリンクした画像設定情報に対応する視覚的外観を有することを特徴とする。
【００１３】
一態様において、前記複数のユーザ定義アイコンのうち少なくとも１つが複数の画像設定情報とリンクしている場合、複数の画像設定情報とリンクした機能アイコンは、複数の画像設定情報のうち予め設定された優先順位に対応する画像設定情報に対応する視覚的外観で表示されることを特徴とする。
【００１４】
一態様において、前記複数のユーザ定義アイコンは、前記カメラにより入力される画像に各ユーザ定義アイコンにリンクした画像設定情報を反映したプレビュー画像で表示されることを特徴とする。
【００１５】
一態様において、前記複数のユーザ定義アイコンが前記ディスプレイ部に出力され、前記複数のユーザ定義アイコンのうち少なくとも１つはユーザのタッチに対応して出力位置が変更可能であることを特徴とする。
【００１６】
一態様において、前記複数のユーザ定義アイコンのいずれかが前記ユーザのタッチに対応して予め設定された領域に移動するか又は予め設定された距離だけ移動した場合、前記移動したユーザ定義アイコンが前記ディスプレイ部から消えることを特徴とする。
【００１７】
一態様において、前記制御部は、マイクから受信されるユーザの音声を前記画像撮影要求として処理し、前記複数のユーザ定義アイコンは、それぞれ各音声コマンドを有し、前記マイクから受信されるユーザの音声が前記各音声コマンドのいずれに対応するかによって、取得される画像に対応する画像設定情報が異なることを特徴とする。
【００１８】
一態様において、前記複数のユーザ定義アイコンの周辺には、各ユーザ定義アイコンに対応する音声コマンドがテキスト形式で表示されることを特徴とする。
【００１９】
一態様において、前記ユーザ定義アイコンにリンクする画像設定情報は、ユーザの選択に基づいて決定されることを特徴とする。
【００２０】
一態様において、前記ディスプレイ部の一領域には、前記カメラにより撮影される画像に関する複数の設定値に対応するアイテムが表示され、前記表示されたアイテムのうちの少なくとも１つがユーザにより予め設定された方式で選択された場合、前記少なくとも１つのアイテムに対応する設定値を反映した画像設定情報が生成され、前記生成された画像設定情報は、前記ユーザ定義アイコンにリンクすることを特徴とする。
【００２１】
本発明の一実施形態によるカメラにより入力される画像を出力するディスプレイ部を含む移動端末機の制御方法は、画像撮影機能のためのプログラムの起動中に、画像設定情報とリンクしたユーザ定義アイコンのうち少なくとも１つを前記ディスプレイ部に出力する段階と、前記ディスプレイ部に出力されたユーザ定義アイコンへのタッチを前記画像撮影要求として処理する段階と、前記処理された画像撮影要求に応答して、前記画像設定情報に対応する画像を取得する段階とを含むことを特徴とする。
【００２２】
一態様において、前記ディスプレイ部には、各画像設定情報とそれぞれリンクした複数のユーザ定義アイコンが出力され、前記画像を取得する段階においては、前記複数のユーザ定義アイコンのうちタッチされた領域に出力されたユーザ定義アイコンにリンクした画像設定情報に対応する画像を取得することを特徴とする。
【００２３】
一態様において、前記ディスプレイ部の一領域には、基本画像設定情報とリンクした基本アイコンが出力され、前記基本アイコンのタッチ方式によって、前記基本アイコンにリンクした基本画像設定情報に対応する画像を取得するか、前記複数のユーザ定義アイコンを前記ディスプレイ部に出力するかを決定することを特徴とする。
【００２４】
一態様において、前記ディスプレイ部は、前記カメラにより入力される画像が出力されるプレビュー領域を含み、前記複数のユーザ定義アイコンのいずれかに予め設定された方式の第１タッチが行われると、前記第１タッチが行われたユーザ定義アイコンにリンクした画像設定情報に対応するプレビュー画像が出力されるように前記カメラにより入力される画像を制御し、前記複数のユーザ定義アイコンのいずれかに前記第１タッチとは異なる方式の第２タッチが行われると、前記第２タッチが行われたユーザ定義アイコンにリンクした画像設定情報に対応する画像をメモリに保存することを特徴とする。
【００２５】
一態様において、前記ユーザ定義アイコンにリンクする画像設定情報は、ユーザの選択に基づいて決定されることを特徴とする。
【発明の効果】
【００２６】
本発明の一実施形態による移動端末機及びその制御方法においては、写真撮影時だけでなく、動画像撮影時にも、ユーザの嗜好に合う画像を取得できるようにするユーザインタフェースを提供することができる。
【００２７】
また、本発明の一実施形態による移動端末機及びその制御方法においては、各画像設定情報とリンクしたユーザ定義アイコンを提供することができる。よって、ユーザは、ユーザ定義アイコンを選択するだけで、所望の画像設定情報に対応する画像を取得することができる。
【００２８】
さらに、本発明の一実施形態による移動端末機及びその制御方法においては、画像を撮影する毎にカメラの設定値又は画像の設定値を変更する煩雑な操作を行うことなく、直ちにユーザ所望の画像を撮影できるユーザ定義アイコンを提供することができる。よって、ユーザの利便性が向上する。
【図面の簡単な説明】
【００２９】
【図１】本発明の一実施形態による移動端末機を示すブロック図である。
【図２Ａ】本発明の一実施形態による移動端末機の一例の前面斜視図である。
【図２Ｂ】図２Ａに示す移動端末機の背面斜視図である。
【図３】本発明の一実施形態による移動端末機の制御方法を示すフローチャートである。
【図４Ａ】図３の移動端末機の制御方法を説明するための概念図である。
【図４Ｂ】図３の移動端末機の制御方法を説明するための概念図である。
【図５Ａ】本発明の一実施形態による移動端末機においてユーザ定義アイコンを提供する方法を説明するための概念図である。
【図５Ｂ】本発明の一実施形態による移動端末機においてユーザ定義アイコンを提供する方法を説明するための概念図である。
【図５Ｃ】本発明の一実施形態による移動端末機においてユーザ定義アイコンを提供する方法を説明するための概念図である。
【図６Ａ】本発明の一実施形態による移動端末機においてユーザ定義アイコンを活用する方法を説明するための概念図である。
【図６Ｂ】本発明の一実施形態による移動端末機においてユーザ定義アイコンを活用する方法を説明するための概念図である。
【図６Ｃ】本発明の一実施形態による移動端末機においてユーザ定義アイコンを活用する方法を説明するための概念図である。
【図７Ａ】本発明の一実施形態による移動端末機においてユーザ定義アイコンに反映される情報を説明するための概念図である。
【図７Ｂ】本発明の一実施形態による移動端末機においてユーザ定義アイコンに反映される情報を説明するための概念図である。
【図７Ｃ】本発明の一実施形態による移動端末機においてユーザ定義アイコンに反映される情報を説明するための概念図である。
【図７Ｄ】本発明の一実施形態による移動端末機においてユーザ定義アイコンに反映される情報を説明するための概念図である。
【図８Ａ】本発明の一実施形態による移動端末機においてユーザ定義アイコンにリンクした画像設定情報を設定する方法を説明するための概念図である。
【図８Ｂ】本発明の一実施形態による移動端末機においてユーザ定義アイコンにリンクした画像設定情報を設定する方法を説明するための概念図である。
【図８Ｃ】本発明の一実施形態による移動端末機においてユーザ定義アイコンにリンクした画像設定情報を設定する方法を説明するための概念図である。
【図８Ｄ】本発明の一実施形態による移動端末機においてユーザ定義アイコンにリンクした画像設定情報を設定する方法を説明するための概念図である。
【図９】本発明の一実施形態による移動端末機において音声を用いて画像撮影機能を実行する方法を説明するための概念図である。
【図１０】本発明の一実施形態による移動端末機において動画像撮影機能の実行時に様々な画像設定情報を有する画像を取得する方法を説明するための概念図である。
【発明を実施するための形態】
【００３０】
以下、添付図面を参照して本発明の実施形態を詳細に説明するが、図面番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるように解釈されてはならないことに留意すべきである。
【００３１】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブックなどが含まれる。しかし、本明細書に開示される実施形態による構成は、移動端末機にのみ適用可能な場合を除き、デジタルテレビ、デスクトップコンピュータなどの固定端末機にも適用できることを、本発明の属する技術の分野における通常の知識を有する者であれば容易に理解できるであろう。
【００３２】
図１は本発明の一実施形態による移動端末機を示すブロック図である。
【００３３】
図１に示すように、移動端末機１００は、無線通信部１１０、Ａ／Ｖ（Audio/Video）入力部１２０、ユーザ入力部１３０、感知部１４０、出力部１５０、メモリ１６０、インタフェース部１７０、制御部１８０、電源供給部１９０などを含む。図１に示す全ての構成要素が必須構成要素であるわけではなく、本発明による移動端末機は、図示の構成要素よりも多い構成要素で実現してもよく、それより少ない構成要素で実現してもよい。
【００３４】
以下、移動端末機１００の構成要素について順次説明する。
【００３５】
無線通信部１１０は、移動端末機１００と無線通信システム間の無線通信、又は移動端末機１００と移動端末機１００の位置するネットワーク間の無線通信を可能にする少なくとも１つのモジュールを含む。例えば、無線通信部１１０は、放送受信モジュール１１１、移動通信モジュール１１２、無線インターネットモジュール１１３、近距離通信モジュール１１４、位置情報モジュール１１５などを含む。
【００３６】
放送受信モジュール１１１は、放送チャネルを介して、外部の放送管理サーバから放送信号及び／若しくは放送関連情報を受信する。
【００３７】
前記放送チャネルは、衛星チャネル及び地上波チャネルを含む。前記放送管理サーバは、放送信号及び／若しくは放送関連情報を生成して送信するサーバ、又は既に生成されて提供された放送信号及び／若しくは放送関連情報を送信するサーバを含む。
【００３８】
前記放送信号は、テレビ放送信号、ラジオ放送信号、データ放送信号を含むだけでなく、テレビ放送信号又はラジオ放送信号にデータ放送信号が結合した形態の放送信号も含む。
【００３９】
前記放送関連情報は、放送チャネル、放送番組、又は放送サービスプロバイダに関する情報を含む。前記放送関連情報は、移動通信網を介して提供することもでき、この場合、移動通信モジュール１１２により受信することができる。
【００４０】
前記放送関連情報は様々な形態で存在する。例えば、ＤＭＢ（Digital Multimedia Broadcasting）のＥＰＧ（Electronic Program Guide）、又はＤＶＢ−Ｈ（Digital Video Broadcast-Handheld）のＥＳＧ（Electronic Service Guide）などの形態で存在する。
【００４１】
放送受信モジュール１１１は、例えばＤＭＢ−Ｔ（Digital Multimedia Broadcasting-Terrestrial）、ＤＭＢ−Ｓ（Digital Multimedia Broadcasting-Satellite）、ＭｅｄｉａＦＬＯ（Media Forward Link Only）、ＤＶＢ−Ｈ、ＩＳＤＢ−Ｔ（Integrated Services Digital Broadcast-Terrestrial）などのデジタル放送システムを利用してデジタル放送信号を受信することができる。もちろん、放送受信モジュール１１１は、前述したデジタル放送システムだけでなく、他の放送システムに適合するように構成してもよい。
【００４２】
放送受信モジュール１１１により受信された放送信号及び／若しくは放送関連情報は、メモリ１６０に保存することができる。
【００４３】
移動通信モジュール１１２は、移動通信網上で基地局、外部の端末、サーバのうち少なくとも１つと無線信号を送受信する。前記無線信号は、音声呼信号、テレビ電話呼信号、又はＳＭＳ／ＭＭＳメッセージの送受信による様々な形態のデータを含む。
【００４４】
移動通信モジュール１１２は、音声通話モード及びテレビ電話モードを実現するように構成される。音声通話モードとは、相手の画像を見ないで通話するモードをいい、テレビ電話モードとは、相手の画像を見ながら通話するモードをいう。移動通信モジュール１１２は、音声通話モード及びテレビ電話モードを実現するために、音声及び画像のうち少なくとも一方を送受信するように構成される。
【００４５】
無線インターネットモジュール１１３は、無線インターネットの接続のためのモジュールであり、移動端末機１００に内蔵されるか又は外付けされる。無線インターネット技術としては、ＷＬＡＮ（Wireless LAN）、Ｗｉ−Ｆｉ（Wireless Fidelity）、Ｗｉｂｒｏ（Wireless Broadband）、ＷｉＭＡＸ（Worldwide Interoperability for Microwave Access）、ＨＳＤＰＡ（High Speed Downlink Packet Access）などを用いることができる。
【００４６】
近距離通信モジュール１１４は、近距離通信のためのモジュールである。近距離通信技術としては、ブルートゥース、ＲＦＩＤ（Radio Frequency Identification）、ＩｒＤＡ（Infrared Data Association）、ＵＷＢ（Ultra Wideband）、ＺｉｇＢｅｅなどを用いることができる。
【００４７】
位置情報モジュール１１５は、移動端末機１００の位置を取得するためのモジュールであり、代表的な例としては、ＧＰＳ（Global Position System）モジュールがある。
【００４８】
Ａ／Ｖ入力部１２０は、オーディオ信号又はビデオ信号の入力のためのものであり、カメラ１２１やマイク１２２などを含む。カメラ１２１は、テレビ電話モード又は撮影モードでイメージセンサにより得られる静止画像又は動画像などの画像フレームを処理する。
【００４９】
そして、カメラ１２１で処理された画像フレームは、ディスプレイ部１５１に表示することができる。また、カメラ１２１で処理された画像フレームは、メモリ１６０に保存したり、無線通信部１１０により外部に伝送することもできる。カメラ１２１は、使用環境に応じて２つ以上備えてもよい。
【００５０】
マイク１２２は、通話モード、録音モード、又は音声認識モードなどで、マイク１２２に入力された外部の音響信号を電気的な音声データに処理する。そして、マイク１２２で処理された音声データは、通話モードの場合、移動通信モジュール１１２により移動通信基地局に送信可能な形態に変換して出力することができる。マイク１２２には、外部の音響信号が入力される過程で発生するノイズを除去するための様々なノイズ除去アルゴリズムが実現される。
【００５１】
ユーザ入力部１３０は、ユーザにより端末機の動作制御のための入力データを発生する。ユーザ入力部１３０は、キーパッド、ドームスイッチ、タッチパッド（感圧／静電）、ジョグホイール、ジョグスイッチなどで構成してもよい。
【００５２】
感知部１４０は、移動端末機１００の開閉状態、移動端末機１００の位置、移動端末機１００の方位又は加速／減速、ユーザの接触の有無などの移動端末機１００の現在の状態を感知し、移動端末機１００の動作を制御するための感知信号を発生する。例えば、移動端末機１００がスライドタイプの場合、移動端末機１００の開閉状態を感知することができる。また、電源供給部１９０から電源が供給されるか否か、インタフェース部１７０に外部機器が結合されたか否かなどを感知することもできる。
【００５３】
出力部１５０は、視覚、聴覚、又は触覚などに関連する出力を発生するためのものであり、ディスプレイ部１５１、音響出力モジュール１５３、アラーム部１５４、ハプティックモジュール１５５などを含む。
【００５４】
ディスプレイ部１５１は、移動端末機１００で処理される情報を表示（出力）する。例えば、移動端末機１００が通話モードの場合は、通話に関するＵＩ（User Interface）若しくはＧＵＩ（Graphic User Interface）を表示する。また、移動端末機１００がテレビ電話モード又は撮影モードの場合は、撮影及び／若しくは受信した画像、又はＵＩ、ＧＵＩを表示する。
【００５５】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイ、電子インクディスプレイのうち少なくとも１つを含む。
【００５６】
これらのディスプレイの一部は、そのディスプレイから外部が見えるように、透明型又は光透過型に構成してもよい。これは透明ディスプレイとも呼ばれ、透明ディスプレイの代表的な例としてはＴＯＬＥＤ（Transparent OLED）などがある。ディスプレイ部１５１の後方構造も光透過型構造に構成してもよい。このような構造により、ユーザは端末機本体のディスプレイ部１５１が占める領域から端末機本体の後方に位置するものを見ることができる。
【００５７】
移動端末機１００の実現形態に応じて、ディスプレイ部１５１を２つ以上備えてもよい。例えば、移動端末機１００には、複数のディスプレイ部を１つの面に離隔して又は一体に配置してもよく、異なる面にそれぞれ配置してもよい。
【００５８】
ディスプレイ部１５１とタッチ動作を感知するセンサ（以下、「タッチセンサ」という）がレイヤ構造をなす場合（以下、「タッチスクリーン」ともいう）、ディスプレイ部１５１は、出力装置の他に入力装置として使用することもできる。タッチセンサは、例えばタッチフィルム、タッチシート、タッチパッドなどの形態を有する。
【００５９】
タッチセンサは、ディスプレイ部１５１の特定部位に加わった圧力又はディスプレイ部１５１の特定部位に発生する静電容量などの変化を電気的な入力信号に変換するように構成してもよい。タッチセンサは、タッチされる位置及び面積だけでなく、タッチ時の圧力までも検出できるように構成してもよい。
【００６０】
タッチセンサへのタッチ入力がある場合、それに対応する信号がタッチ制御装置に送られる。タッチ制御装置は、その信号を処理して対応するデータを制御部１８０に送る。これにより、制御部１８０は、ディスプレイ部１５１のどの領域がタッチされたかなどが分かる。
【００６１】
前記タッチスクリーンにより覆われる移動端末機１００の内部領域又は前記タッチスクリーンの近くには、近接センサ１４１を配置してもよい。近接センサとは、電磁界の力又は赤外線を利用して、所定の検出面に近づく物体又は近傍に存在する物体の有無を機械的な接触なしに検出できるセンサをいう。近接センサは、接触式センサより寿命が長く、その活用度も高い。
【００６２】
近接センサとしては、透過型光電センサ、直接反射型光電センサ、回帰反射型光電センサ、高周波発振型近接センサ、静電容量型近接センサ、磁気近接センサ、赤外線近接センサなどがある。静電式タッチスクリーンは、ポインタの近接による電界の変化から前記ポインタの近接を検出するように構成される。この場合、タッチスクリーン（タッチセンサ）は近接センサにも分類される。
【００６３】
以下、説明の便宜上、ポインタをタッチスクリーン上に接触させるのではなく近接させてポインタがタッチスクリーン上に位置することを認識させることを「近接タッチ（proximity touch）」といい、ポインタをタッチスクリーン上に実際に接触させることを「接触タッチ（contact touch）」という。ポインタにより近接タッチされるタッチスクリーン上の位置とは、ポインタが近接タッチされる際にポインタがタッチスクリーンに対して垂直に対応する位置を意味する。
【００６４】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知する。感知された近接タッチ動作及び近接タッチパターンに関する情報は、タッチスクリーン上に出力することができる。
【００６５】
音響出力モジュール１５３は、呼受信モード、通話モード、録音モード、音声認識モード、又は放送受信モードなどで、無線通信部１１０から受信するか、又はメモリ１６０に保存されたオーディオデータを出力する。音響出力モジュール１５３は、移動端末機１００で実行される機能（例えば、呼信号受信音、メッセージ受信音など）に関連する音響信号も出力する。このような音響出力モジュール１５３は、レシーバ、スピーカ、ブザーなどを含む。
【００６６】
アラーム部１５４は、移動端末機１００のイベント発生を通知するための信号を出力する。移動端末機１００で発生するイベントとしては、呼信号受信、メッセージ受信、キー信号入力、タッチ入力などがある。アラーム部１５４は、ビデオ信号やオーディオ信号以外に、他の形態、例えば振動でイベント発生を通知するための信号を出力することもできる。前記ビデオ信号又はオーディオ信号は、ディスプレイ部１５１又は音響出力モジュール１５３により出力することもできるので、ディスプレイ部１５１及び音響出力モジュール１５３はアラーム部１５４の一部にも分類される。
【００６７】
ハプティックモジュール１５５は、ユーザが感じることのできる様々な触覚効果を発生する。ハプティックモジュール１５５が発生する触覚効果の代表的な例としては振動がある。ハプティックモジュール１５５が発生する振動の強度やパターンなどは制御可能である。例えば、異なる振動を合成して出力することもでき、順次出力することもできる。
【００６８】
ハプティックモジュール１５５は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００６９】
ハプティックモジュール１５５は、直接的な接触により触覚効果を伝えることができるだけでなく、ユーザが指や腕などの筋感覚により触覚効果を感じるように実現することもできる。ハプティックモジュール１５５は、移動端末機１００の構成態様に応じて２つ以上備えてもよい。
【００７０】
メモリ１６０は、制御部１８０の動作のためのプログラムを保存することもでき、入出力されるデータ（例えば、電話帳、メッセージ、静止画像、動画像など）を一時保存することもできる。メモリ１６０は、前記タッチスクリーンへのタッチ入力時に出力される様々なパターンの振動及び音響に関するデータを保存することもできる。
【００７１】
メモリ１６０は、フラッシュメモリタイプ、ハードディスクタイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクのうちの少なくとも１つのタイプの記憶媒体を含む。移動端末機１００は、インターネット上でメモリ１６０の保存機能を実行するウェブストレージに関連して動作することもできる。
【００７２】
インタフェース部１７０は、移動端末機１００に接続される全ての外部機器との通路の役割を果たす。インタフェース部１７０は、外部機器からデータを受信するか、供給された電源を移動端末機１００内部の各構成要素に送るか、又は移動端末機１００内部のデータを外部機器に送信する。インタフェース部１７０は、例えば有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートなどを含む。
【００７３】
前記識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。前記識別モジュールが備えられた装置（以下、「識別装置」という）は、スマートカード形式で製造してもよい。よって、前記識別装置は、ポートを介して移動端末機１００に接続することができる。
【００７４】
インタフェース部１７０は、移動端末機１００が外部のクレードルに接続された場合、前記クレードルからの電源が移動端末機１００に供給される通路となり、ユーザにより前記クレードルから入力される各種命令信号が移動端末機１００に伝達される通路となる。前記クレードルから入力される各種命令信号又は電源は、移動端末機１００が前記クレードルに正しく取り付けられたことを認知するための信号としても機能する。
【００７５】
通常、制御部１８０は、移動端末機１００の全般的な動作を制御する。例えば、音声通話、データ通信、テレビ電話などに関連する制御及び処理を行う。制御部１８０は、マルチメディアを再生するためのマルチメディアモジュール１８１を備えてもよい。マルチメディアモジュール１８１は、制御部１８０内に実現してもよく、制御部１８０とは別に実現してもよい。
【００７６】
また、制御部１８０は、前記タッチスクリーン上で行われる手書き入力及び手描き入力をそれぞれ文字及び画像として認識するパターン認識処理を行う。
【００７７】
さらに、制御部１８０は、移動端末機１００の状態が予め設定された条件を満たすと、アプリケーションに対するユーザの制御命令の入力を制限するロック状態にすることができる。さらに、制御部１８０は、前記ロック状態で、ディスプレイ部１５１（タッチスクリーン）により感知されるタッチ入力に基づいて、前記ロック状態で表示されるロック画面を制御する。
【００７８】
電源供給部１９０は、制御部１８０の制御下で、供給された外部の電源、内部の電源を各構成要素に必要に応じて供給する。
【００７９】
ここに説明される様々な実施形態は、例えばソフトウェア、ハードウェア、又はこれらの組み合わせにより、コンピュータ又はこれと類似の装置で読み取りが可能な記録媒体内で実現することができる。
【００８０】
ハードウェア的な実現においては、ここに説明される実施形態は、ＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、制御装置、マイクロコントローラ、マイクロプロセッサ、その他の機能実行のための電気的なユニットのうちの少なくとも１つを用いて実現してもよい。一部の場合、これらの実施形態は制御部１８０により実現してもよい。
【００８１】
ソフトウェア的な実現においては、ここに説明される手順や機能などの実施形態は、別のソフトウェアモジュールで実現してもよい。各ソフトウェアモジュールは、ここに説明される１つ以上の機能又は動作を行うようにしてもよい。
【００８２】
ソフトウェアコードは、適切なプログラム言語で記述されたソフトウェアアプリケーションにより実現してもよい。また、ソフトウェアコードは、メモリ１６０に保存し、制御部１８０により実行してもよい。
【００８３】
以下、図１を参照して説明した本発明の一実施形態による移動端末機の一例を説明する。
【００８４】
図２Ａは本発明の一実施形態による移動端末機の一例の前面斜視図であり、図２Ｂは図２Ａに示す移動端末機の背面斜視図である。
【００８５】
図２Ａ及び図２Ｂを参照すると、移動端末機１００は、ストレートタイプの端末機本体を備えている。ただし、本発明は、これに限定されるものではなく、２つ以上の本体が相対移動可能に結合されるスライドタイプ、折り畳みタイプ、スイングタイプ、２軸回転タイプなどの様々な構造に適用可能である。
【００８６】
前記端末機本体は、前面、側面及び背面を備える。また、前記端末機本体は、長手方向の両端に形成される両端部を備える。
【００８７】
前記端末機本体は、移動端末機１００の外観を形成するケース（ケーシング、ハウジング、カバーなど）を含む。本実施形態のケースは、フロントケース１０１とリアケース１０２とから構成される。フロントケース１０１とリアケース１０２との間に形成された空間には、各種電子部品が内蔵される。フロントケース１０１とリアケース１０２との間には、１つ又は複数の中間ケースをさらに配置してもよい。
【００８８】
前記ケースは、合成樹脂を射出して形成してもよく、金属材、例えばステンレススチールやチタン（Ｔｉ）などで形成してもよい。
【００８９】
前記端末機本体、主にフロントケース１０１には、ディスプレイ部１５１、音響出力モジュール１５３ａ、カメラ１２１ａ、マイク１２２、ユーザ入力部１３０（１３１、１３２）、インタフェース部１７０などが配置される。
【００９０】
ディスプレイ部１５１は、フロントケース１０１の主面の大部分を占める。ディスプレイ部１５１の両端部のうち、一端部に隣接する領域には、音響出力モジュール１５３ａ及びカメラ１２１ａが配置され、他端部に隣接する領域には、マイク１２２及びユーザ入力部１３１が配置される。ユーザ入力部１３２やインタフェース部１７０などは、フロントケース１０１及びリアケース１０２の側面に配置されてもよい。
【００９１】
ユーザ入力部１３０は、移動端末機１００の動作を制御するための命令を入力するために操作するものであって、複数の操作ユニット、例えば第１操作ユニット１３１及び第２操作ユニット１３２を含んでもよい。第１操作ユニット１３１及び第２操作ユニット１３２は、操作部ともいい、触知式（tactile manner）であればいかなる方式も採用可能である。
【００９２】
第１操作ユニット１３１又は第２操作ユニット１３２により入力される内容は様々に設定可能である。例えば、開始、終了、スクロールなどの命令は第１操作ユニット１３１により入力され、音響出力モジュール１５３ａから出力される音響のボリューム調整、ディスプレイ部１５１のタッチ認識モードへの移行などの命令は第２操作ユニット１３２により入力されるようにしてもよい。
【００９３】
図２Ｂに示すように、前記端末機本体の背面、すなわちリアケース１０２には、音響出力モジュール１５３ｂをさらに配置してもよい。音響出力モジュール１５３ｂは、音響出力モジュール１５３ａ（図２Ａ参照）と共にステレオ機能の実現、そして通話時にはスピーカフォンモードの実現のために用いられる。
【００９４】
また、リアケース１０２には、カメラ１２１ｂをさらに取り付けてもよい。カメラ１２１ｂは、フロントケース１０１に取り付けられたカメラ１２１ａ（図２Ａ参照）とは撮影方向が実質的に反対であり、画素が異なるカメラであってもよい。
【００９５】
例えば、カメラ１２１ａは、テレビ電話などの場合にユーザの顔を撮影して相手に伝送するのに負担にならない低画素にし、カメラ１２１ｂは、一般的な被写体を撮影し、直ちに伝送しないことが多いため、高画素にするようにしてもよい。カメラ１２１ａ、１２１ｂは、回転又はポップアップ可能に前記端末機本体に設置してもよい。
【００９６】
カメラ１２１ｂに隣接してフラッシュ１２３及びミラー１２４をさらに配置してもよい。フラッシュ１２３は、カメラ１２１ｂで被写体を撮影する場合、被写体に向けて光を照射する。ミラー１２４は、ユーザがカメラ１２１ｂでユーザ自身を撮影する場合（セルフ撮影）、自分の顔などを映せるようにする。
【００９７】
前記端末機本体の背面には、音響出力モジュール１５３ｂをさらに配置してもよい。音響出力モジュール１５３ｂは、音響出力モジュール１５３ａ（図２Ａ参照）と共にステレオ機能の実現、そして通話時にはスピーカフォンモードの実現のために用いられる。
【００９８】
前記端末機本体には、移動端末機１００に電源を供給するための電源供給部１９０が取り付けられる。電源供給部１９０は、前記端末機本体に内蔵されるように構成してもよく、前記端末機本体の外部から直接着脱できるように構成してもよい。
【００９９】
さらに、リアケース１０２には、タッチを感知するためのタッチパッド１３５をさらに配置してもよい。タッチパッド１３５は、ディスプレイ部１５１と同様に、光透過型に構成してもよい。この場合、ディスプレイ部１５１が両面から視覚情報を出力するように構成されると、タッチパッド１３５からも前記視覚情報を認知することができる。ディスプレイ部１５１の両面から出力される情報は、タッチパッド１３５により制御されるようにしてもよい。これとは異なり、タッチパッド１３５にディスプレイ部をさらに取り付けることにより、リアケース１０２にもタッチスクリーンが配置されるようにしてもよい。
【０１００】
タッチパッド１３５とディスプレイ部１５１とは互いに関連して動作する。タッチパッド１３５は、ディスプレイ部１５１の後方に平行に配置してもよい。また、タッチパッド１３５のサイズは、ディスプレイ部１５１と等しいかそれより小さくしてもよい。
【０１０１】
前述したような構成要素のうち少なくとも１つを含む本発明による移動端末機においては、カメラから受信された画像をメモリに保存する画像撮影機能を提供することができる。ここで、カメラから受信された画像をメモリに保存する移動端末機の動作は、「画像を撮影する」、「画像を取得する」、「画像をキャプチャする」などで表される。また、これらの表現に限定されるものではなく、カメラから受信された画像をメモリに保存するという意味であればいかなる表現も自由に用いることができる。
【０１０２】
本発明による移動端末機は、ユーザの選択に基づいて画像撮影動作を行うことができる。ここで、ユーザの選択は、「ユーザの制御命令」、「制御命令」などで表され、様々な方式で行われる。例えば、ユーザが移動端末機に備えられたハードウェアキーをタッチ又は加圧したり、ディスプレイ部１５１に出力されたソフトウェアキー又はビジュアルキーをタッチすることにより、画像撮影機能を選択することができる。すなわち、制御部１８０は、画像撮影機能とリンクしたハードウェアキーがタッチ又は加圧されたり、ディスプレイ部１５１に出力されたソフトウェアキー又はビジュアルキーがタッチされると、画像撮影機能を実行するためのユーザの制御命令が受信されたものと判断する。制御部１８０は、前記制御命令に基づいて、カメラ１２１により入力される画像を撮影することができる。また、これらの例の他にも、画像撮影機能の実行は、マイクを介して予め設定されたコマンドに該当するユーザの音声が受信されたり、移動端末機に特定のジェスチャーが入力されたり、移動端末機が予め設定された動きを感知した場合に行われるようにすることができる。
【０１０３】
一方、本発明においては、ユーザの嗜好に合う画像を直ちに取得できるようにするユーザインタフェース環境を提供することができる。以下、ユーザの嗜好に合う画像を直ちに取得できるようにするユーザインタフェース環境を提供する移動端末機及びその制御方法について、添付図面に基づいてより詳細に説明する。図３は本発明の一実施形態による移動端末機の制御方法を示すフローチャートであり、図４Ａ及び図４Ｂは図３の移動端末機の制御方法を説明するための概念図である。
【０１０４】
まず、本発明による移動端末機においては、画像撮影機能を実行する段階が行われる（Ｓ３１０）。画像撮影機能の実行は、画像撮影のために起動されるアプリケーションの実行を意味することもある。制御部１８０は、画像撮影機能が実行されると、カメラ１２１をアクティブにし、画像を撮影できる状態に準備させる。
【０１０５】
画像撮影機能は、当該画像撮影機能とリンクしたアイコン（又はアプリケーションのアイコン）の選択（又はタッチ）に基づいて実行されるようにしてもよい。アイコンの選択に基づいて画像撮影機能が実行される場合、ディスプレイ部１５１はオン状態である。一方、画像撮影機能は、当該画像撮影機能とリンクしたアイコンが選択された場合の他に、移動端末機に備えられたキー（例えば、ハードウェアキーとソフトウェアキーのうち少なくとも一方）が少なくとも１つ選択された場合に実行されるようにしてもよい。この場合、制御部１８０は、ディスプレイ部１５１がオフ状態であっても、前記移動端末機に備えられたキーの選択に対応して、画像撮影機能を実行することができる。
【０１０６】
このようにして画像撮影機能が実行されると、画像設定情報とリンクした少なくとも１つのユーザ定義アイコンを出力する段階が行われる（Ｓ３２０）。
【０１０７】
前記ユーザ定義アイコンは、画像設定情報とリンクしたアイコンであり、制御部１８０は、前記ユーザ定義アイコンが選択（又はタッチ）されると、前記リンクした画像設定情報に対応する画像を取得（又は保存）する。
【０１０８】
一方、ステップＳ３１０において画像撮影機能が実行されると、図４Ａに示すように、少なくとも１つのユーザ定義アイコン４２０と共に、ディスプレイ部１５１の一領域４１０にカメラ１２１により入力される画像（又はプレビュー画像）が出力されるようにしてもよい。
【０１０９】
ここで、画像設定情報は、カメラ駆動に関する設定情報と撮影された画像に対するソフトウェア的な処理に関する設定情報の少なくとも一方である。
【０１１０】
カメラ駆動に関する画像設定情報は、ＩＳＯ、シャッター速度、絞り、ホワイトバランス、焦点、解像度、露出値、フラッシュ、連続撮影、連続撮影数、タイマー設定、タイマー時間、デュアル撮影モードなどに関する情報であってもよい。
【０１１１】
ソフトウェア的な処理に関する画像設定情報は、画像が取得された後に移動端末機上で制御処理できる機能に関する情報であって、色補正、明暗調整、鮮明度、露出値調整などに関する情報であってもよい。
【０１１２】
カメラ駆動に関する画像設定情報及びソフトウェア的な処理に関する画像設定情報は、前述した情報に限定されるものではなく、様々な種類の情報を含む。
【０１１３】
つまり、画像設定情報とリンクしたユーザ定義アイコンとは、様々な種類の情報の少なくとも１つに関する設定情報（又は設定値）とリンクしたアイコンを意味する。
【０１１４】
一方、本発明においては、前記ユーザ定義アイコンの他に、基本撮影機能を有する基本アイコンにより画像撮影が行われるようにしてもよい。
【０１１５】
前記基本アイコンは、基本画像設定情報とリンクしたアイコンであって、画像撮影に関連するアプリケーションが基本的に提供するアイコンであってもよい。制御部１８０は、前述した画像設定情報とリンクしたアイコンのいずれかを基本アイコンとして設定することができる。
【０１１６】
本発明においては、画像撮影機能が実行された場合、前記基本アイコンを先に出力し、ユーザの要求があると、前記基本アイコンと共に前記ユーザ定義アイコンを出力するか、又は前記基本アイコンの代わりに前記ユーザ定義アイコンを出力するようにしてもよい。他の例として、本発明においては、画像撮影機能が実行されると、前記基本アイコンと前記ユーザ定義アイコンを共に出力するようにしてもよい。さらに他の例として、本発明においては、画像撮影機能が実行された場合、前記ユーザ定義アイコンを先に出力し、ユーザの要求があると、前記基本アイコンを出力するようにしてもよい。
【０１１７】
前述した様々な方法のいずれかによりユーザ定義アイコンがディスプレイ部１５１に出力された状態で、前記ユーザ定義アイコンがタッチされると、それを画像撮影要求として処理する段階が行われる（Ｓ３３０）。前記画像撮影要求は、前述したようにディスプレイ部１５１に出力されたアイコンをタッチする方式の他にも、様々な方式で行われるようにすることができるが、これは画像撮影機能を実行させる様々な方法と類似しているので、その具体的な説明は省略する。
【０１１８】
このように前記ユーザ定義アイコンへのタッチにより画像撮影要求が処理されると、前記タッチされたユーザ定義アイコンにリンクした画像設定情報に対応する画像を取得する段階が行われる（Ｓ３４０）。
【０１１９】
制御部１８０は、前記ユーザ定義アイコンがタッチされると、それを画像撮影要求の受信として処理する。制御部１８０は、前記ユーザ定義アイコンにリンクした画像設定情報に対応する画像を取得できるように、画像を撮影する前にカメラを駆動したり、撮影される画像を制御することができる。
【０１２０】
すなわち、制御部１８０は、前記ユーザ定義アイコンが選択されるとその選択されたユーザ定義アイコンに対応する画像を取得できるように、移動端末機を制御することができる。よって、ユーザは、画像を撮影する前に、設定メニュー又は設定アイコンの選択などにより、取得する画像に対応する設定を変更することなく、撮影のためのアイコンを選択するだけで、ユーザの嗜好に合う画像を得ることができる。
【０１２１】
以下、ユーザ定義アイコンにより取得される画像の例についてより具体的に説明する。図４Ａの（ａ）、（ｂ）及び（ｃ）に示すアイコン４２０、４２１、４２２は画像設定情報とリンクしたユーザ定義アイコンであると仮定する。
【０１２２】
一例として、図４Ａの（ａ）に示すユーザ定義アイコン４２０が、デュアル撮影モードで画像撮影が行われるようにする画像設定情報とリンクしたユーザ定義アイコンの場合、制御部１８０は、ユーザ定義アイコン４２０の選択に対応して、移動端末機に備えられた複数のカメラを用いて画像を撮影することができる。すると、図４Ｂの（ａ）に示すように、ディスプレイ部１５１には複数のカメラによりそれぞれ撮影された複数の画像４３１ａ、４３１ｂが共に出力される。一方、複数の画像４３１ａ、４３１ｂは、共に出力されるのではなく、別々に出力されるようにしてもよい。このように、制御部１８０は、デュアル撮影モードに関する設定情報とリンクしたユーザ定義アイコンが選択されると、複数のカメラを同時に駆動し、複数のカメラにより複数の画像が撮影されるようにする。よって、撮影モードをデュアル撮影モードに切り替え、その後撮影アイコンを選択する煩雑さを軽減することができる。
【０１２３】
他の例として、図４Ａの（ｂ）に示すユーザ定義アイコン４２１が、タイマーモードに関する画像設定情報とリンクしたユーザ定義アイコンの場合、制御部１８０は、ユーザ定義アイコン４２１の選択に対応して、図４Ｂの（ｂ）に示すように、所定時間経過後に画像が撮影されるようにカメラを制御することができる。ここで、前記所定時間に関する情報は、ユーザ定義アイコン４２１にリンクした設定情報に含まれる。このように、制御部１８０は、タイマーモードに関する画像設定情報とリンクしたユーザ定義アイコンが選択されると、所定時間経過後、カメラにより画像が撮影されるようにする。よって、撮影モードをタイマーモードに切り替え、その後撮影アイコンを選択する煩雑さを軽減することができる。
【０１２４】
さらに他の例として、図４Ａの（ｃ）に示すユーザ定義アイコン４２２が、撮影された画像をモノクロ処理する画像設定情報とリンクしたユーザ定義アイコンの場合、制御部１８０は、ユーザ定義アイコン４２２の選択に対応して、移動端末機に備えられたカメラを用いて画像を撮影し、その後、撮影された画像をソフトウェア的にモノクロ処理することができる。すると、図４Ｂの（ｃ）に示すように、ディスプレイ部１５１にはモノクロ処理された画像が出力される。一方、モノクロ処理などのカラーに関する処理は、必ずしもソフトウェア的に行われるものではなく、カメラ自体で色調調整が可能であればカメラにより行うこともできることは自明である。以上のように、本発明による移動端末機及びその制御方法においては、画像設定情報が定義されたユーザ定義アイコンにより、ユーザ所望の設定値を有する画像が直ちに撮影されるようにすることができる。
【０１２５】
以下、前述した例を参照して、ユーザ定義アイコンを提供及び活用する方法について、添付図面に基づいてより詳細に説明する。画像設定情報が定義されたユーザ定義アイコンを画像撮影機能が実行されると直ちに出力するか否か、ユーザ定義アイコンを直ちに出力する場合はどの方法で出力するか、ユーザ定義アイコンを直ちに出力しない場合はどの方法で出力するかなど、ユーザ定義アイコンを出力する方法には様々な変形例が存在する。以下、ユーザ定義アイコンを出力する方法のいくつかの例を説明する。図５Ａ、図５Ｂ及び図５Ｃは本発明の一実施形態による移動端末機においてユーザ定義アイコンを提供する方法を説明するための概念図である。
【０１２６】
一例として、本発明による移動端末機においては、画像撮影機能が実行されると、ディスプレイ部１５１には、図５Ａの（ａ）に示すように、基本アイコン５０１が優先的に出力される。基本アイコン５０１は、画像撮影機能を提供するアプリケーションが基本的に提供するアイコンであってもよい。基本アイコン５０１が出力された状態で、制御部１８０は、基本アイコン５０１のタッチ方式によって、画像を直ちに撮影するか、少なくとも１つのユーザ定義アイコンを出力するかを決定することができる。ここで、基本アイコン５０１がタッチされると、制御部１８０は、基本アイコン５０１にリンクした基本画像設定情報に対応する画像を取得することができる。より具体的には、制御部１８０は、基本アイコン５０１に第１方式のタッチ（例えば、ショートタッチ）が行われると、図５Ａの（ｂ）に示すように、現在の設定で画像を取得し、基本アイコン５０１に前記第１方式とは異なる第２方式のタッチ（例えば、ロングタッチ）が行われると、図５Ａの（ｃ）に示すように、少なくとも１つのユーザ定義アイコン５２１、５２２、５２３をディスプレイ部１５１に出力させる。
【０１２７】
このように、少なくとも１つのユーザ定義アイコン５２１、５２２、５２３は、基本アイコン５０１に行われた前記第２方式のタッチに対応して出力される。つまり、本発明においては、１つのアイコンに複数の設定を割り当てることにより、アイコンのタッチ方式によって異なる制御が行われるようにすることができる。また、図示していないが、基本アイコン５０１に行われた前記第２方式のタッチに基づいて、少なくとも１つのユーザ定義アイコン５２１、５２２、５２３が出力され、その出力されたユーザ定義アイコン５２１、５２２、５２３のいずれかに行われたタッチに基づいて、そのタッチされたユーザ定義アイコンにリンクした画像設定情報に基づく画像が取得され、その後少なくとも１つのユーザ定義アイコン５２１、５２２、５２３がディスプレイ部１５１から消えるようにすることができる。すなわち、制御部１８０は、ユーザ定義アイコン５２１、５２２、５２３により画像が撮影されたら、ユーザ定義アイコン５２１、５２２、５２３の出力を終了させ、再び基本アイコン５０１のみを出力させることができる。また、ユーザ定義アイコン５２１、５２２、５２３がディスプレイ部１５１に出力された状態では、基本アイコン５０１が出力されないようにすることができる。さらに、ユーザ定義アイコン５２１、５２２、５２３を用いた撮影が終了しても、ユーザの要求があるまでは、ユーザ定義アイコン５２１、５２２、５２３がディスプレイ部１５１に続けて出力されるようにすることができる。
【０１２８】
他の例として、本発明による移動端末機においては、画像撮影機能が実行されると、ディスプレイ部１５１には、図５Ｂの（ａ）に示すように、基本アイコン５０１と共に、ユーザ定義アイコンの出力を選択させるためのグラフィックオブジェクト５３０が出力される。制御部１８０は、図５Ｂの（ａ）に示すように、グラフィックオブジェクト５３０に対するユーザの選択があった場合、図５Ｂの（ｂ）に示すように、少なくとも１つのユーザ定義アイコン５３１を出力させることができる。また、少なくとも１つのユーザ定義アイコン５３１は、グラフィックオブジェクト５３０に対するユーザの選択に基づいて、ディスプレイ部１５１に出力されないようにすることができる。つまり、ユーザは、グラフィックオブジェクト５３０へのタッチにより、ユーザ定義アイコン５３１をディスプレイ部１５１に出力させるか否かを決定することができる。
【０１２９】
一方、制御部１８０は、グラフィックオブジェクト５３０が第１方向にドラッグされると、ユーザ定義アイコン５３１を出力させ、グラフィックオブジェクト５３０が前記第１方向とは異なる第２方向にドラッグされると、ユーザ定義アイコン５３１の出力を終了させることができる。
【０１３０】
本例においても、制御部１８０は、ユーザ定義アイコン５３１により画像が撮影されたら、ユーザ定義アイコン５３１の出力を終了させ、再び基本アイコン５０１のみを出力させることができる。
【０１３１】
さらに他の例として、本発明による移動端末機においては、画像撮影機能が実行されると、ディスプレイ部１５１には、図５Ｃに示すように、基本アイコン５０１と共に、少なくとも１つのユーザ定義アイコン５４１、５４２、５４３、５４４が出力される。つまり、制御部１８０は、図５Ａ及び図５Ｂを参照して説明したような基本アイコン５０１への予め設定された方式のタッチ又はユーザの要求に関係なく、基本アイコン５０１と共に少なくとも１つのユーザ定義アイコン５４１、５４２、５４３、５４４を出力させることにより、画像撮影機能において、ユーザ定義アイコンへのアクセスをより迅速に行えるようにするユーザインタフェース環境を提供することができる。一方、画像撮影機能が実行される際に、基本アイコンと共にユーザ定義アイコンを出力させるか否かは、ユーザの設定に基づいて変更することができる。
【０１３２】
以上説明したように、本発明による移動端末機及びその制御方法においては、ユーザ定義アイコンを様々な形態で提供することができる。
【０１３３】
以下、ユーザ定義アイコンにいかなる種類の画像設定情報がリンクしているかに関する情報を提供する方法について、添付図面に基づいてより詳細に説明する。図６Ａ、図６Ｂ及び図６Ｃは本発明の一実施形態による移動端末機においてユーザ定義アイコンを活用する方法を説明するための概念図である。以下、ユーザ定義アイコンがディスプレイ部１５１に出力された状態を仮定して説明する。すなわち、ユーザ定義アイコンをディスプレイ部１５１に出力させる過程については説明を省略する。
【０１３４】
ディスプレイ部１５１に複数のユーザ定義アイコンが出力されている場合、ユーザはどのユーザ定義アイコンにいかなる画像設定情報がリンクしているかを把握しにくいことがある。よって、本発明においては、ユーザ定義アイコンへの予め設定された方式のタッチに対応して、ユーザ定義アイコンにリンクした画像設定情報が反映されたプレビュー画像を出力させることができる。ユーザ定義アイコンに対するプレビュー画像は様々な方法で提供することができるが、以下では代表的な例を説明する。前記プレビュー画像とは、画像が撮影される前にカメラにより入力される画像がリアルタイムで出力される画像を意味する。
【０１３５】
一例として、制御部１８０は、ユーザ定義アイコンへの第１方式のタッチに対応して、プレビュー画像を提供し、ユーザ定義アイコンへの第２方式のタッチに対応して、当該ユーザ定義アイコンにリンクした画像設定情報に対応する画像を取得することができる。
【０１３６】
例えば、図６Ａの（ａ）に示すように、複数のユーザ定義アイコン６１１、６１２、６１３、６１４のうちユーザ定義アイコン６１１に第１方式のタッチ（例えば、ショートタッチ）が行われると、制御部１８０は、図６Ａの（ｂ）に示すように、ユーザ定義アイコン６１１にリンクした画像設定情報が反映されたプレビュー画像をディスプレイ部１５１に出力させることができる。ユーザ定義アイコン６１１にリンクした画像設定情報が反映されたプレビュー画像が出力された状態で、他のユーザ定義アイコン６１２に前記第１方式のタッチが行われると、制御部１８０は、図６Ａの（ｃ）に示すように、ユーザ定義アイコン６１２にリンクした画像設定情報が反映されたプレビュー画像をディスプレイ部１５１に出力させることができる。さらに、制御部１８０は、図６Ａの（ｃ）に示すようにプレビュー画像が出力された状態で、当該出力されたプレビュー画像に対応するユーザ定義アイコン６１２が再び選択されると、図６Ａの（ｄ）に示すように、再び選択されたユーザ定義アイコン６１２にリンクした画像設定情報に対応する画像を撮影することができる。ちなみに、プレビュー画像が出力された状態で当該出力されたプレビュー画像に対応する画像を撮影するために該当ユーザ定義アイコンを再び選択するためのタッチは、その方式に限定はない。すなわち、本発明においては、前記該当ユーザ定義アイコンのタッチ方式がショートタッチであってもロングタッチであっても、該当ユーザ定義アイコンに対応する画像を取得することができる。
【０１３７】
また、図示していないが、本発明においては、ユーザ定義アイコンに対応するプレビュー画像が出力された状態で、再び基本アイコンが選択されると、ユーザ定義アイコンに対応するプレビュー画像の出力を終了させ、前記基本アイコンに対応するプレビュー画像を出力させることができる。
【０１３８】
さらに、本発明においては、ユーザ定義アイコン６１１に前記第１方式とは異なる第２方式のタッチが行われると、ユーザ定義アイコン６１１にリンクした画像設定情報が反映された画像を直ちに取得することができる。すなわち、制御部１８０は、ユーザ定義アイコンへの第１方式のタッチに対応して、プレビュー画像を出力させ、ユーザ定義アイコンへの第２方式のタッチに対応して、画像を取得することができる。このように、制御部１８０は、複数のユーザ定義アイコンのいずれかに予め設定された方式の第１タッチが行われると、前記第１タッチが行われたユーザ定義アイコンにリンクした画像設定情報に対応するプレビュー画像が出力されるように前記カメラにより入力される画像を制御し、前記複数のユーザ定義アイコンのいずれかに前記第１タッチとは異なる方式の第２タッチが行われると、前記第２タッチが行われたユーザ定義アイコンにリンクした画像設定情報に対応する画像をメモリに保存することができる。
【０１３９】
他の例として、制御部１８０は、ユーザ定義アイコンへのタッチが維持されることに基づいて、当該ユーザ定義アイコンに関連するプレビュー画像を出力させることができる。例えば、図６Ｂの（ａ）に示すように、ユーザ定義アイコン６１１がタッチされ、そのタッチが維持されると、制御部１８０は、図６Ｂの（ｂ）に示すように、ユーザ定義アイコン６１１に関連するプレビュー画像を出力させる。また、制御部１８０は、ユーザ定義アイコン６１１へのタッチが維持される時間によって異なる制御を行うことができる。例えば、ユーザ定義アイコン６１１へのタッチが第１時間の間維持された後に解除されると、制御部１８０は、図６Ｂの（ｃ）に示すように、ユーザ定義アイコン６１１に対応するプレビュー画像の出力を終了させ、基本アイコンに対応するプレビュー画像を出力させることができる。また、ユーザ定義アイコン６１１へのタッチが第２時間の間維持された後に解除されると、制御部１８０は、図６Ｂの（ｄ）に示すように、ユーザ定義アイコン６１１に対応する画像を撮影することができる。
【０１４０】
さらに他の例として、本発明による移動端末機においては、ユーザのタッチに対応してディスプレイ部１５１上で移動するグラフィックオブジェクトを活用して、プレビュー画像を提供することができる。例えば、図６Ｃの（ａ）に示すように、グラフィックオブジェクト７１０は、ユーザ定義アイコンのいずれかを覆うことができる程度の大きさを有する。制御部１８０は、ディスプレイ部１５１上でのグラフィックオブジェクト７１０の位置によって、ディスプレイ部１５１に出力されるプレビュー画像を決定することができる。図６Ｃの（ａ）に示すように、グラフィックオブジェクト７１０が第１ユーザ定義アイコン７１１に位置すると、制御部１８０は、第１ユーザ定義アイコン７１１にリンクした画像設定情報（例えば、デュアルモード撮影）が反映されたプレビュー画像をディスプレイ部１５１に出力することができる。また、図６Ｃの（ｂ）に示すように、グラフィックオブジェクト７１０がユーザのタッチに基づいて第２ユーザ定義アイコン７１２に移動すると、制御部１８０は、第２ユーザ定義アイコン７１２にリンクした画像設定情報（例えば、モノクロ撮影）が反映されたプレビュー画像をディスプレイ部１５１に出力することができる。ここで、グラフィックオブジェクト７１０の形状は多様に変形可能である。また、グラフィックオブジェクト７１０は、基本アイコンに移動させることができる。ユーザは、グラフィックオブジェクト７１０を基本アイコンに移動させることにより、ユーザ定義アイコンに対するプレビュー画像の出力を終了することができる。
【０１４１】
一方、前述した方法の他にも、ユーザ定義アイコンを活用してプレビュー画像を提供する方法は様々である。以上のように、本発明による移動端末機及びその制御方法においては、ユーザ定義アイコンに対するプレビュー画像を提供することにより、ユーザにユーザ定義アイコンに関する情報を直観的に提供することができる。
【０１４２】
以下、ユーザ定義アイコンにリンクした画像設定情報が反映されたプレビュー画像を提供する方法について、添付図面に基づいてより詳細に説明する。図７Ａ〜図７Ｄは本発明の一実施形態による移動端末機においてユーザ定義アイコンに反映される情報を説明するための概念図である。
【０１４３】
本発明においては、ユーザ定義アイコンの視覚的外観を様々に変化させることにより、ユーザがユーザ定義アイコンだけでユーザ定義アイコンにリンクした画像設定情報を容易に把握できるようにするユーザインタフェース環境を提供することができる。
【０１４４】
一例として、本発明においては、図７Ａに示すように、各ユーザ定義アイコン７２１、７２２、７２３、７２４にリンクした画像設定情報が反映されたプレビュー画像を、各ユーザ定義アイコン７２１、７２２、７２３、７２４のイメージとして活用することができる。
【０１４５】
すなわち、各ユーザ定義アイコン７２１、７２２、７２３、７２４のイメージとしては、各ユーザ定義アイコン７２１、７２２、７２３、７２４にリンクした画像設定情報をユーザが識別できるように、カメラにより入力されている画像に各ユーザ定義アイコンにリンクした画像設定情報を反映したプレビュー画像が表示されるようにしてもよい。従って、この場合、各ユーザ定義アイコンのイメージはリアルタイムで変更される。
【０１４６】
他の例として、制御部１８０は、図７Ｂ及び図７Ｃに示すように、各ユーザ定義アイコン８１１、８１２、８１３、８２１、８２２、８２３にリンクした画像設定情報を、当該画像設定情報を識別できるようにするテキストとイメージの少なくとも一方を用いて、各ユーザ定義アイコン８１１、８１２、８１３、８２１、８２２、８２３のイメージとして表示させることができる。一方、制御部１８０は、１つのユーザ定義アイコンに複数の画像設定情報がリンクしている場合、前記複数の画像設定情報を全てユーザ定義アイコンのイメージとして表示させることができる。また、制御部１８０は、１つのユーザ定義アイコンに複数の画像設定情報がリンクしている場合、前記複数の画像設定情報の一部又はいずれかのみをユーザ定義アイコンのイメージとして表示させることもできる。この場合、制御部１８０は、予め設定された優先順位に基づいて、複数の画像設定情報のうちユーザ定義アイコンに反映する画像設定情報を決定することができる。ここで、優先順位は、ユーザの選択に基づいて決定されてもよく、新しく追加された設定情報、よく用いられる設定情報、視覚的な効果を有する設定情報などの様々な基準のうち少なくとも１つに基づいて決定されてもよい。
【０１４７】
さらに、本発明においては、ユーザ定義アイコンにリンクした画像設定情報に関する詳細情報をユーザに提供することができる。詳細情報を提供する方法は様々であるが、例えば、制御部１８０は、図７Ｄの（ａ）に示すように、いずれかのユーザ定義アイコン８２１へのドラッグタッチに基づいて、図７Ｄの（ｂ）に示すように、詳細情報８２０を出力させることができる。出力された詳細情報８２０は、所定時間が経過するとディスプレイ部１５１から消えるようにしてもよい。また、出力された詳細情報８２０は、当該詳細情報８２０が出力された領域以外の領域がタッチされると出力が終了するようにしてもよい。
【０１４８】
以下、ユーザ定義アイコンを設定及び制御する方法について、添付図面に基づいてより詳細に説明する。図８Ａ、図８Ｂ、図８Ｃ及び図８Ｄは本発明の一実施形態による移動端末機においてユーザ定義アイコンにリンクした画像設定情報を設定する方法を説明するための概念図である。
【０１４９】
ユーザ定義アイコンにリンクする画像設定情報は、ユーザの選択に基づいて決定される。すなわち、ユーザ定義アイコンにどの画像設定情報がリンクするかは、ユーザの選択に基づいて決定される。本発明においては、ユーザ定義アイコンを生成するための編集モードが提供される。前記編集モードは、ユーザの要求に基づいて移行することができる。一例として、図８Ａの（ａ）に示すように、編集モードへの移行又はユーザ定義アイコンの生成のための特定のアイコン９００が選択されると、図８Ａの（ｂ）に示すように、ディスプレイ部１５１の一領域には、前記カメラにより撮影される画像に関する複数の画像設定情報及び当該画像設定情報の詳細設定値を設定するための複数のアイテムが表示される。
【０１５０】
前記複数のアイテムが表示された状態で、少なくとも１つのアイテムがユーザにより予め設定された方式で選択されると、図８Ａの（ｃ）に示すように、前記少なくとも１つのアイテムに対応する設定値を反映した画像設定情報とリンクしたユーザ定義アイコン９２０が生成される。前記生成されたユーザ定義アイコン９２０は、生成と同時にディスプレイ部１５１に出力されるのではなく、後でユーザの要求に基づいてディスプレイ部１５１に出力されるようにしてもよい。
【０１５１】
ユーザは、各アイテムを選択して詳細設定値を変更し、その後所望の画像設定情報に対応するアイテムを基本アイコン９０１に移動させることにより、ユーザ定義アイコンを生成することができる。本発明においては、複数のアイテムを基本アイコンに移動させた場合、ユーザの終了要求があるまで又は所定時間が経過するまでは、前記複数のアイテムに対応する複数の画像設定情報を１つのユーザ定義アイコンにリンクさせることができる。
【０１５２】
他の例として、本発明による移動端末機においては、既に生成されたユーザ定義アイコンにリンクした画像設定情報を編集することができる。本発明においては、例えば、図８Ｂの（ａ）に示すように、ユーザ定義アイコンに対応する画像設定情報が出力されたリスト９３０を出力させることができる。リスト９３０が出力された状態で、図８Ｂの（ｂ）に示すように、リスト９３０に含まれるいずれかの項目９３１に予め設定された方式のタッチが行われると、制御部１８０は、図８Ｂの（ｃ）に示すように、項目９３１に対応する画像設定情報がユーザ定義アイコン９２０にリンクしないように処理することができる。
【０１５３】
この他にも、ユーザ定義アイコンにリンクした画像設定情報を編集する方法は様々である。
【０１５４】
さらに他の例として、本発明においては、生成されたユーザ定義アイコンの少なくとも１つをユーザの選択に基づいて削除することができる。各ユーザ定義アイコンはユーザのタッチに基づいてディスプレイ部上で移動させることができる。例えば、図８Ｃの（ａ）及び（ｂ）に示すように、特定のユーザ定義アイコン９４３を予め設定された長さ以上移動させたり、図８Ｄの（ａ）及び（ｂ）に示すように、特定のユーザ定義アイコン９４３を予め設定された機能に対応するグラフィックオブジェクト９５０に移動させることにより、特定のユーザ定義アイコン９４３がディスプレイ部１５１に出力されないようにすることができる。この場合、特定のユーザ定義アイコン９４３にリンクした画像設定情報もメモリ１６０から削除されるようにすることができる。
【０１５５】
なお、図示していないが、制御部１８０は、複数のユーザ定義アイコンの一部のみをディスプレイ部１５１に出力させることができる。この場合、ディスプレイ部１５１に出力されるユーザ定義アイコンは、ユーザにより別途選択されるようにすることができる。
【０１５６】
このように、ユーザ定義アイコンへのユーザのタッチに基づいてディスプレイ部１５１からユーザ定義アイコンが削除される場合、制御部１８０は、ユーザの選択に基づいて、ディスプレイ部１５１から当該ユーザ定義アイコンを削除するだけか、当該ユーザ定義アイコンに関する全ての情報をメモリ１６０から削除するかを決定する。
【０１５７】
以上説明したように、本発明による移動端末機及びその制御方法においては、ユーザ定義アイコン及びそれにリンクした画像設定情報の編集機能を提供し、より最適化されたユーザインタフェース環境をユーザに提供することができる。
【０１５８】
以下、音声を用いて画像撮影機能を制御する方法について、添付図面に基づいてより詳細に説明する。図９は本発明の一実施形態による移動端末機において音声を用いて画像撮影機能を実行する方法を説明するための概念図である。
【０１５９】
前述したように、本発明においては、ユーザの音声命令に基づいて画像撮影を行うことができる。また、ユーザ定義アイコン毎に音声コマンドを割り当てることができる。よって、制御部１８０は、各音声コマンドの認識に基づいて、各画像設定情報に対応する画像が撮影されるように移動端末機を制御することができる。より具体的には、制御部１８０は、マイクから受信されるユーザの音声を前記画像撮影要求として処理する。ここで、各ユーザ定義アイコンは各音声コマンドを有し、前記マイクから受信されるユーザの音声が前記各音声コマンドのいずれに対応するかによって、取得される画像に対応する画像設定情報が異なる。一方、本発明においては、各ユーザ定義アイコンに割り当てられた音声コマンドに関する情報をユーザに提供するために、図９の（ａ）に示すように、各ユーザ定義アイコン１０１１、１０１２、１０１３の周辺に、各ユーザ定義アイコン１０１１、１０１２、１０１３に対応する音声コマンドをテキスト形式とイメージ形式のうち少なくとも一方で表示することができる。よって、図示のようにユーザから「に」という音声コマンドが入力されると、制御部１８０は、図９の（ｂ）に示すように、前記入力された音声コマンドに対応する画像を撮影することができる。
【０１６０】
以上説明したように、本発明においては、音声コマンドを用いて各画像設定情報に対応する画像のいずれかを撮影できるようにすることにより、ユーザの利便性を向上させることができる。
【０１６１】
以下、動画像撮影時に画像設定情報とリンクしたユーザ定義アイコンを活用する方法について、添付図面に基づいてより詳細に説明する。図１０は本発明の一実施形態による移動端末機において動画像撮影機能の実行時に様々な画像設定情報を有する画像を取得する方法を説明するための概念図である。
【０１６２】
本発明においては、前述した様々な例を動画像撮影時にも同様に適用することができる。動画像撮影の場合には、動画像撮影前又は動画像撮影が中断された状態で、ユーザ定義アイコンをディスプレイ部１５１に出力することができる。例えば、図１０の（ａ）に示すように、動画像撮影が行われている状態で撮影停止アイコン１１１０が選択されると、図１０の（ｂ）に示すように、動画像撮影が中断され、ディスプレイ部１５１に少なくとも１つのユーザ定義アイコン１０２０が出力される。ここで、ユーザ定義アイコンを出力する方法については、前述した例で説明したのでその説明を省略する。
【０１６３】
このように少なくとも１つのユーザ定義アイコン１０２０が出力された状態で、いずれかのユーザ定義アイコン１０２０が選択されると、図１０の（ｃ）に示すように、制御部１８０は、選択されたユーザ定義アイコン１０２０に対応する画像設定情報が反映された動画像の撮影を行い続けることができる。ここで、当該動画像は、中断前に撮影された動画像と同じファイルに含まれるようにすることができる。また、図示していないが、本発明においては、動画像撮影時にも、ユーザ定義アイコンに第１タッチが行われるか、又はユーザ定義アイコンが第１時間の間タッチされることに対応して、当該ユーザ定義アイコンに対応するプレビュー画像を出力させることができる。さらに、ユーザ定義アイコンに前記第１タッチとは異なる方式の第２タッチが行われるか、又はユーザ定義アイコンが前記第１時間とは異なる第２時間の間タッチされることに対応して、動画像撮影を再開することができる。
【０１６４】
以上説明した本発明は、移動端末機に基本機能として内蔵して出荷されるようにしてもよく、無線通信で外部サーバからダウンロード可能なアプリケーションの形で提供されるようにしてもよい。アプリケーションの形で提供される場合、移動端末機にアプリケーションをダウンロードしてインストールすることにより、本発明による機能を移動端末機上で提供することができる。
【０１６５】
本発明の一実施形態によれば、前述した方法は、プログラム記録媒体にプロセッサ可読コードで実現することができる。プロセッサ可読媒体としては、ＲＯＭ、ＲＡＭ、ＣＤ−ＲＯＭ、磁気テープ、フロッピーディスク、光データ記憶装置などがあり、搬送波（例えば、インターネットによる送信）の形で実現されるものも含まれる。
【０１６６】
本発明による移動端末機は、上記実施形態の構成と方法に限定されるものではなく、各実施形態の全部又は一部を選択的に組み合わせて構成することで様々に変形することができる。
【符号の説明】
【０１６７】
１００    移動端末機
１１０    無線通信部
１２０    Ａ／Ｖ入力部
１２１    カメラ
１２２    マイク
１３０    ユーザ入力部
１４０    感知部
１５０    出力部
１５１    ディスプレイ部
１６０    メモリ
１７０    インターフェース部
１８０    制御部
１９０    電源供給部
４２０、４２１、４２２    ユーザ定義アイコン
５０１    基本アイコン
５２１、５２２、５２３    ユーザ定義アイコン
５３０    グラフィックオブジェクト
５３１    ユーザ定義アイコン
５４１、５４２、５４３、５４４    ユーザ定義アイコン
６１１、６１２、６１３、６１４    ユーザ定義アイコン
７１１、７１２、７１３、７１４    ユーザ定義アイコン
７２１、７２２、７２３、７２４    ユーザ定義アイコン
８１１、８１２、８１３    ユーザ定義アイコン
８２１、８２２、８２３    ユーザ定義アイコン
９２０    ユーザ定義アイコン
９３０    リスト
９４１、９４２、９４３    ユーザ定義アイコン
９５０    グラフィックオブジェクト
１０１１、１０１２、１０１３    ユーザ定義アイコン
１０２０    ユーザ定義アイコン
【図１】
2015027085.tif 000003
【図２Ａ】
2015027085.tif 000004
【図２Ｂ】
2015027085.tif 000005
【図３】
2015027085.tif 000006
【図４Ａ】
2015027085.tif 000007
【図４Ｂ】
2015027085.tif 000008
【図５Ａ】
2015027085.tif 000009
【図５Ｂ】
2015027085.tif 000010
【図５Ｃ】
2015027085.tif 000011
【図６Ａ】
2015027085.tif 000012
【図６Ｂ】
2015027085.tif 000013
【図６Ｃ】
2015027085.tif 000014
【図７Ａ】
2015027085.tif 000015
【図７Ｂ】
2015027085.tif 000016
【図７Ｃ】
2015027085.tif 000017
【図７Ｄ】
2015027085.tif 000018
【図８Ａ】
2015027085.tif 000019
【図８Ｂ】
2015027085.tif 000020
【図８Ｃ】
2015027085.tif 000021
【図８Ｄ】
2015027085.tif 000022
【図９】
2015027085.tif 000023
【図１０】
2015027085.tif 000024